(57)【特許請求の範囲】
【請求項１】
放送局等の情報提供者から能動的に与えられる情報であるＰｕｓｈ型コンテンツを受信するデータコンテンツ受信装置において、
前記Ｐｕｓｈ型コンテンツにおける各コンテンツの内容の変化と、前記Ｐｕｓｈ型コンテンツの内容の変化の種類である提示、更新、追加、削除、状態変化とを示すＰｕｓｈ型イベントを検知するＰｕｓｈ型イベント検知手段と、
前記Ｐｕｓｈ型コンテンツ毎に、前記Ｐｕｓｈ型コンテンツの内容の変化の種類と、前記Ｐｕｓｈ型コンテンツを内容更新、割り込み通知、自動遷移させるセマンティクスと、前記Ｐｕｓｈ型コンテンツを変換して提示するのを優先的に行うかを示す優先度との対応関係である変換ルールを蓄積する変換ルール蓄積手段と、
前記変換ルール蓄積手段に蓄積された前記変換ルールに基づき、前記Ｐｕｓｈ型イベント検知手段で検知された前記Ｐｕｓｈ型コンテンツの内容の変化から、前記セマンティクスと前記優先度とを得るデータ放送変換手段と、
前記セマンティクスと前記優先度とに基づいて、前記Ｐｕｓｈ型コンテンツを変換し、音声出力又は点字表示する視覚障害者向けブラウザ部と、
を備えることを特徴とするデータコンテンツ受信装置。
【発明の詳細な説明】
【技術分野】
【０００１】
放送局等の情報提供者からの情報を情報受信者に通知するデータコンテンツ受信装置に関する。
【背景技術】
【０００２】
情報受信者が情報を得る手段として、自らが能動的に取得するＰｕｌｌ型の情報取得手段と、自らは受動的に情報提供者から与えられるＰｕｓｈ型の情報取得手段とがある。そのうち、Ｐｕｓｈ型の情報取得手段では、情報提供者から与えられる情報であるＰｕｓｈ型コンテンツはコンテンツの内容の更新が定期的に行われるものと定期的に行われないものとがある。なお、コンテンツの内容の更新が定期的に行われないものとは、コンテンツの内容の更新がいつ行われるかがわからないものであり、例えば、情報提供者がデータ放送の放送局である場合、台風情報、地震情報等の緊急情報に関するコンテンツは、コンテンツの内容の更新が定期的に行われないものである。また、情報提供者がインターネットを介してＰｕｓｈ型コンテンツを配信する配信サービス業者である場合、携帯電話やパソコンに配信されるニュース等のメールで、コンテンツの内容の更新が定期的に行われないものもある。
【０００３】
そして、情報提供者がデータ放送の放送局である場合、Ｐｕｓｈ型コンテンツの内容が更新されたことを通知するトリガであるＰｕｓｈ型イベントとＰｕｓｈ型コンテンツとが分離されていることにより、従来のデータコンテンツ受信装置では、ＳＴＢ（データコンテンツ受信装置に具備され、視聴可能な信号に変換する装置）はＰｕｓｈ型コンテンツの内容が更新されたことを通知するトリガであるイベントを検知したか否かを監視し、イベントを検知したときに更新されたＰｕｓｈ型コンテンツを提示するように動作する。このＳＴＢの動作により、情報受信者は、更新されたＰｕｓｈ型コンテンツの内容を把握することができる。
【０００４】
一方、情報提供者がインターネットを介してＰｕｓｈ型コンテンツを配信する配信サービス業者である場合、Ｐｕｓｈ型コンテンツの内容を更新すると、電子メール等で一斉に各パソコン、携帯端末へＰｕｓｈ型コンテンツが配信される。情報受信者は、Ｐｕｓｈ型コンテンツを受信することで、コンテンツの更新と更新されたＰｕｓｈ型コンテンツの内容を同時に把握することができる。
【０００５】
なお、特許文献１に、情報更新の取得方法として、提示された更新前の情報と更新後の情報とを比較することにより、容易に情報が更新されたこと及び更新された情報をユーザが把握する技術が示されている。
【特許文献１】特開平１１−３５３０７８号公報
【発明の開示】
【発明が解決しようとする課題】
【０００６】
しかしながら、前記の従来のデータコンテンツ受信装置では、情報受信者が健常者ではない場合、例えば、視覚障害者である場合、Ｐｕｓｈ型コンテンツの中身が更新されたとしても、Ｐｕｓｈ型コンテンツの内容が更新されたことを通知するトリガであるＰｕｓｈ型イベントとＰｕｓｈ型コンテンツとが分離されていることにより、Ｐｕｓｈ型コンテンツの内容が更新されたことを把握することができないと共に、更新されたＰｕｓｈ型コンテンツの内容を把握することができない。
そこで本発明では、情報提供者から配信されるＰｕｓｈ型コンテンツの内容が更新されたとき、情報受信者が視覚障害者等の障害者である場合でも、Ｐｕｓｈ型コンテンツの内容が更新されたことと更新されたＰｕｓｈ型コンテンツの内容を把握することができるようにすることを目的とする。
【課題を解決するための手段】
【０００７】
前記の目的を達成するために、請求項１に係るデータコンテンツ受信装置は、放送局等の情報提供者から能動的に与えられる情報であるＰｕｓｈ型コンテンツを受信するデータコンテンツ受信装置において、Ｐｕｓｈ型イベント検知手段と、変換ルール蓄積手段と、データ放送変換手段と、視覚障害者向けブラウザ部とを備えることを特徴とする構成とした。
かかる構成によれば、前記Ｐｕｓｈ型イベント検知手段は、前記Ｐｕｓｈ型コンテンツにおける各コンテンツの内容の変化と、前記Ｐｕｓｈ型コンテンツの内容の変化の種類である提示、更新、追加、削除、状態変化とを示すＰｕｓｈ型イベントを検知する。そして、データ放送変換手段は、前記変換ルール蓄積手段に蓄積され、前記変化の種類に応じて前記Ｐｕｓｈ型コンテンツに行わせる変換内容との対応関係である変換ルールに基づき、データ放送変換手段は前記Ｐｕｓｈ型コンテンツの内容の変化から前記Ｐｕｓｈ型コンテンツに内容更新、割り込み通知、自動遷移を行わせるコンテンツの変換内容であるセマンティクスを得る。更に、視覚障害者向けブラウザ部が、前記セマンティクスと前記優先度とに基づいて、前記Ｐｕｓｈ型コンテンツを変換し、音声出力又は点字表示する。
【発明の効果】
【００１０】
請求項１記載の発明によれば、Ｐｕｓｈ型コンテンツの内容が変化したとき、前記データ放送変換手段がＰｕｓｈ型コンテンツの変化の内容からＰｕｓｈ型コンテンツに行わせる変換内容であるセマンティクスを得て、前記コンテンツ提示手段がセマンティクスに基づいて、視覚障害者等の障害者向けにＰｕｓｈ型コンテンツを変換して提示することにより、情報受信者が視覚障害者等の障害者である場合でも、Ｐｕｓｈ型コンテンツの内容が変化したことと変化したＰｕｓｈ型コンテンツの内容を把握することができる。
【００１１】
更に、請求項１記載の発明によれば、前記コンテンツ提示手段は、Ｐｕｓｈ型コンテンツの内容の各変化（提示、更新、追加、削除、状態変化）に対応するように、Ｐｕｓｈ型コンテンツを変換して提示することにより、Ｐｕｓｈ型コンテンツが如何なる変化をしたかを視覚障害者等の障害者である情報受信者に把握させることができる。
【発明を実施するための最良の形態】
【００１４】
以下、本発明の一実施形態であるデータコンテンツ受信装置について、説明する。
＜１．第１の実施形態のデータコンテンツ受信装置＞
まず、第１の実施形態のデータコンテンツ受信装置について、図１を参照して説明する。図１は、本発明の第１の実施形態のデータコンテンツ受信装置の構成を示すブロック図である。本実施形態のデータコンテンツ受信装置１では、放送受信部１０（Ｐｕｓｈ型イベント検知手段）、データ放送変換部１１（データ放送変換手段）、変換ルール蓄積部１２（変換ルール蓄積手段）、視覚障害者向けブラウザ部１３（コンテンツ提示手段）から構成されており、放送局１４（情報提供者）からデジタル放送で放送されているデータ放送を視覚障害者向けに変換提示する装置である。
【００１５】
（１．１  本実施形態のデータコンテンツ受信装置の各機器）
次に、本実施形態のデータコンテンツ受信装置１の各機器について、説明する。
放送受信部１０は、情報提供者である放送局１４からのデータ放送を受信することにより取得した放送データコンテンツ（Ｐｕｓｈ型コンテンツ）をデータ放送変換部１１に出力する。更に、放送受信部１０は、取得した放送データコンテンツの内容が変化したか否かを監視し、放送データコンテンツの内容が変化したとき、放送イベント（Ｐｕｓｈ型イベント）をデータ放送変換部１１に出力する。なお、放送イベントとは、情報受信者が情報提供者から受動的に与えられることによって得られた放送データコンテンツが変化されたことを示す情報と、この放送データコンテンツの変化が如何なる変化であるかを示す情報である。放送データコンテンツの変化の内容については、後記する。
【００１６】
なお、放送受信部１０は、放送局１４からデータ放送で配信される放送データコンテンツ（Ｐｕｓｈ型コンテンツ）の内容が変化したことを通知するトリガである放送イベントを検知したか否かを監視し、放送イベントを検知したときに放送イベントをデータ放送変換部１１に出力する機能を有している。
【００１７】
データ放送変換部１１は、放送受信部１０から出力された放送イベントを受信したとき、即ち、放送データコンテンツの内容が変化したことを示す情報とこの放送データコンテンツの内容の変化が如何なる変化であるかを示す情報とを受信したとき、変換ルール蓄積部１２から得られる変換ルールを参照する。なお、変換ルールとは、放送データコンテンツの内容の変化の種類と、視覚障害者ブラウザ部１３に提示する放送データコンテンツとの関係を示したデータテーブルのことであり、変換ルール蓄積部１２に予め蓄積されている。そして、参照した変換ルールを用いて、放送データコンテンツの内容の変化の種類に応じて、放送データコンテンツの内容を変化させて視覚障害者ブラウザ部１３に出力する。更に、放送データコンテンツの内容の変化が所定の変化であるとき、優先的に、放送データコンテンツの内容を変化させて視覚障害者向けブラウザ部１３に出力する。なお、放送データコンテンツの内容の変化が如何なる変化であるとき、優先的に、放送データコンテンツの内容を変化させて視覚障害者向けブラウザ部１３に出力するかについては、後記する。
【００１８】
変換ルール蓄積部１２は、前記の通り、放送データコンテンツの内容の変化の種類と、視覚障害者向けブラウザ部１３に提示する放送データコンテンツとの関係を示したデータテーブルである変換ルールを蓄積しており、データ放送変換部１１による受信した放送データコンテンツに関する変換ルールの問い合わせに応じて変換ルールを提供する。なお、この変換ルールは、図示を省略した通信制御部によりネットワークを介して放送局から送信されたものである。
【００１９】
視覚障害者向けブラウザ部１３は、データ放送変換部１１で変換された放送データコンテンツを解釈する。この解釈した内容を、視覚障害者が把握できるように、例えば、視覚障害者向けブラウザ部１３に、スピーカ（図示せず）、点字ディスプレイ（図示せず）等が接続されており、スピーカから音声が出力されるか、または、点字ディスプレイ（図示せず）に点字で表示される。
【００２０】
以上の構成により、本実施形態のデータコンテンツ受信装置１は、放送受信部１０で放送局１４からのデータ放送を受信することにより取得した放送データコンテンツの内容が変化したとき、この放送データコンテンツを変換ルール蓄積部１２に蓄積された変換ルールに基づき、放送データコンテンツを変化させて、データ放送変換部１１から視覚障害者向けブラウザ部１３に出力する。そして、視覚障害者向けブラウザ部１３では、変化した放送データコンテンツを解釈し、この解釈した内容を、視覚障害者のために、接続されたスピーカ（図示せず）、点字ディスプレイ等に出力する。
【００２１】
（１．２  放送イベント）
次に、放送イベントについて、説明する。なお、放送イベントとは、情報受信者が情報提供者から受動的に与えられることによって得られた放送データコンテンツが変化したことを示す情報と、この放送データコンテンツの変化が如何なる変化であるかを示す情報である。放送局１４から通知される放送イベントの変化の内容には、下記（１）〜（５）に示すものがある。
【００２２】
（１）Ｍｏｄｕｌｅ  Ｕｐｄａｔｅｄ
放送データコンテンツが伝送される単位であるモジュールを更新、追加したときに起こる放送イベント
（２）Ｍｏｄｕｌｅ  Ｄｅｌｅｔｅｄ
放送データコンテンツが伝送される単位であるモジュールを削除したときに起こる放送イベント
（３）Ｄａｔａ  Ｅｖｅｎｔ  Ｃｈａｎｇｅｄ
放送データコンテンツの内容に応じたまとめの単位であるＥＳの内容変化に応じて起こる放送イベント
（４）Ｅｖｅｎｔ  Ｍｅｓｓａｇｅ  Ｆｉｒｅｄ（Ｐｒｉｖａｔｅ  ｄａｔａ無し／有り）
放送データコンテンツに放送局からのトリガタイミングを与えるイベントメッセージに変化があった場合に起こる放送イベントであり、イベントメッセージに載っている情報（Ｐｒｉｖａｔｅ  ｄａｔａ）があるかどうかで２種類に分かれる。
（５）ｏｎ  Ｌｏａｄ
放送データコンテンツが提示されたときに起こる放送イベントである。
上記（１）〜（５）に示す放送イベントは通常のデジタル放送受信機でも取得可能なイベントとなる。
【００２３】
（１．３  変換ルール）
次に、変換ルールについて、説明する。変換ルールとは、前記の通り、放送データコンテンツの内容の変化の種類と、視覚障害者向けブラウザ部１３に提示する放送データコンテンツとの関係を示したデータテーブルであることにより、放送データコンテンツの内容が変化すると、視覚障害者向けブラウザ部１３に提示する放送データコンテンツも変化する。以下、視覚障害者向けブラウザ部１３に提示する放送データコンテンツの変化をセマンティクスと称する。視覚障害者向けブラウザ部１３に提示する放送データコンテンツの変化であるセマンティクスには、下記（１）〜（５）に示すものがある。
【００２４】
（１）内容更新（コンテンツ構造変化無し  ａｔｔａｃｈ，ｕｐｄａｔｅｄＢｙ）
情報受信中に情報受信者の操作無しに自動的に、情報内容の全部または一部が情報構造を変えることなく最新の内容に書き換わる種類のもの
（２）内容更新（コンテンツ構造変化有り  ａｔｔａｃｈ，ｍｏｄｉｆｉｅｄＢｙ）
情報受信中に情報受信者の操作無しに自動的に、情報内容の一部に新たな情報が付け加わるまたは一部がなくなることで情報構造が変更される種類のもの
（３）割り込み通知（モードレス：ユーザ確認操作不要  ｎｏｔｉｆｉｃａｔｉｏｎ，ｉｎｖｏｋｅｄＢｙ）
情報受信中に情報受信者の操作無しに自動的に、新たな情報が割り込んで提示され、かつ、割り込み後は元の情報がそのまま操作可能になる種類のもの
（４）割り込み通知（モーダル：ユーザ確認操作必要  ｎｏｔｉｆｉｃａｔｉｏｎＭｏｄａｌ，ｉｎｖｏｋｅｄＢｙ）
情報受信中に情報受信者の操作無しに自動的に、新たな情報を割り込んで提示され、かつ、割り込んだ内容について情報受信者にアクションを要求し、新たな情報の詳細を得るか元の情報に戻るかを決定する種類のもの
（５）自動遷移（ａｕｔｏＴｒａｎｓｉｔｉｏｎ，ｉｎｖｏｋｅｄＢｙ）
情報受信中に情報受信者の操作無しに自動的に、新たな情報が提示され、通常元の情報に戻れないもの
【００２５】
変換ルールの一例について、図２を用いて説明する。図２は、変換ルールの一例を示す図である。変換ルール蓄積部１２には、放送データコンテンツ毎に、放送データコンテンツ（例えば、ファイル名が／６０／０１０１の放送データコンテンツ）に対して、如何なる放送イベント（例えば、Mｏｄｕｌｅ  Ｕｐｄａｔｅｄ）が起こったかに応じて、如何なるセマンティクス（例えば、ａｔｔａｃｈ  ｕｐｄａｔｅｄＢｙ）を視覚障害者向けブラウザ部１３に起こさせるかを蓄積している。この図２では、ファイル名が／６０／０１０１という放送データコンテンツが、伝送される単位であるモジュールを更新、追加した（Ｍｏｄｕｌｅ  Ｕｐｄａｔｅｄ）とき、視覚障害者向けブラウザ部１３に提示する放送データコンテンツの内容更新が行われることを示している。具体的には、視覚障害者向けブラウザ部１３に提示する放送データコンテンツの情報内容の全部または一部が情報構造を変えることなく、最新の内容に書き換わることを示している。
【００２６】
変換ルールにより変換された後の放送データコンテンツの一例について、図３を用いて説明する。図３は、変換ルールにより変換された後の放送データコンテンツの一例を示す図である。この図３より、単なるモジュール更新（Mｏｄｕｌｅ  Ｕｐｄａｔｅｄ）が、ニュース項目の更新であることを通知でき、視覚障害者向けブラウザ部１３は、変換ルールにより変換された放送データコンテンツを解釈し、解釈した放送データコンテンツの内容を、例えば、スピーカ、点字ディスプイレイ等に出力することにより、視覚障害者が、放送コンテンツの内容を把握することができる。
【００２７】
変換ルールのデータテーブルについて、図４を用いて説明する。図４は、変換ルールのデータテーブルを示す図である。図４において、当該コンテンツとは視覚障害者向けブラウザ部１３に提供している放送データコンテンツである。対象コンテンツとは、例えば、地震、津波、選挙結果等の速報情報に関する放送データコンテンツである。放送イベントとは対象コンテンツに如何なる変化を起こしたかを示す情報である。セマンティクスとは視覚障害者向けブラウザ部１３に提示する放送データコンテンツの変化の内容である。優先度とは、視覚障害者向けブラウザ部１３に提示する放送データコンテンツの変化を優先的に行うか否かを示すものである。この変換ルールのデータテーブルを用いることにより、当該コンテンツを視覚障害者向けブラウザ部１３に提示中に、対象コンテンツが如何なる変化を起こしたかに応じて、即ち、対象コンテンツに対して如何なる放送イベントが発生したかに応じて、視覚障害者向けブラウザ部１３に提示する放送データコンテンツを変化させる。なお、図４の通り、変換ルールの優先度がｈｉｇｈに設定されている放送イベントが発生した場合には、優先的に、視覚障害者向けブラウザ部１３に提示する放送データコンテンツを変化させる。
【００２８】
例えば、当該コンテンツ（例えば、／６０／０１００／ｎｅｗｓ．ｂｍｌ）を視覚障害者向けプラウザ部１３に提示中に、対象コンテンツ（例えば、／６０／０１０１）が更新、追加された（Mｏｄｕｌｅ  Ｕｐｄａｔｅｄ）場合、視覚障害者向けブラウザ部１３に提示する放送データコンテンツを対象コンテンツ（例えば、／６０／０１０１）に更新する。そして、更新された対象コンテンツ（例えば、／６０／０１０１）を、視覚障害者向けブラウザ部１３で、例えば、スピーカ、点字ディスプイレイ等に出力することにより、視覚障害者が、更新された対象コンテンツ（例えば、／６０／０１０１）の内容を把握することができる。
【００２９】
なお、変換ルールでは、対象コンテンツ毎に、即ち、対象コンテンツが／６０／０１００か、／４０／０６０１、／４０／、／４０：＊：＊：１であるかに応じて、如何なるコンテンツ内容（例えば、地震、津波、選挙結果等）に関する情報であるかを予め割り当てられていることにより、データ放送変換部１１でデータ対象コンテンツに放送イベントが発生したのを契機に、更新された対象コンテンツ（例えば、／６０／０１０１）を、視覚障害者向けブラウザ部１３に出力し、視覚障害者向けブラウザ部１３で、更新された対象コンテンツ（例えば、／６０／０１０１）を、例えば、スピーカ、点字ディスプイレイ等に出力する。
【００３０】
（１．４  本実施形態のデータコンテンツ受信装置の動作）
次に、当該コンテンツを視覚障害者向けプラウザ部１３に提示中に、対象コンテンツに対して放送イベントが発生したときの本実施形態のデータコンテンツ受信装置の動作について、図５を参照して説明する。図５は、本実施形態のデータコンテンツ受信装置の動作を示すフローチャートである。
【００３１】
放送受信部１０は、情報提供者である放送局１４からのデータ放送を受信することにより、当該コンテンツを取得する（ステップＳ５０）。当該コンテンツを取得すると、放送受信部１０は、データ放送変換部１１に当該コンテンツを出力する（ステップＳ５１）。更に、当該コンテンツが視覚障害者向けブラウザ部１３に出力されると、視覚障害者向けブラウザ部１３は、当該コンテンツを解釈し、この解釈した内容を視覚障害者が把握できるように、例えば、スピーカ、点字ディスプイレイ等に出力することにより、当該コンテンツを提示する（ステップＳ５２）。
【００３２】
そして、当該コンテンツを視覚障害者向けブラウザ部１３で提示中に、対象コンテンツに放送イベントが発生したとき（ステップＳ５３→ＹＥＳ）、放送受信部１０はデータ放送変換部１１に放送イベントを出力する（ステップＳ５４）。即ち、対象コンテンツが変化したことを示す情報とこの対象コンテンツの変化が如何なる変化であるかを示す情報を出力する。データ放送変換部１１は、放送イベントを受信すると、変換ルール蓄積部に蓄積されている変換ルールのデータテーブルに基づき、セマンティクスと優先度を決める（ステップＳ５５）。即ち、視覚障害者向けブラウザ部１３に提示するコンテンツに如何なる変化を起こさせるかと、この変化を優先的に行うか否かを決める。
【００３３】
そして、セマンティクスと優先度の情報がデータ放送変換部１１から視覚障害者向けブラウザ部１３に伝送されると、視覚障害者向けブラウザ部１３は、セマンティクスと優先度とに基づき、対象コンテンツを提示する（ステップＳ５６）。例えば、セマンティクスが内容更新である場合、視覚障害者向けブラウザ部１３に提示するコンテンツが当該コンテンツから対象コンテンツに更新される。そして、優先度が高い場合には、優先的に対象コンテンツを提示する。なお、対象コンテンツを提示する際、視覚障害者にも把握できるように、対象コンテンツを解釈した内容を、例えば、スピーカ、点字ディスプイレイ等に出力する。
【００３４】
（１．５  まとめ）
以上の通り、本実施形態のデータコンテンツ受信装置１では、当該コンテンツを視覚障害者向けブラウザ部１３に提示中に、対象コンテンツに対して放送イベントが発生し、即ち、対象コンテンツの内容が変化し、当該コンテンツから対象コンテンツに更新されて、視覚障害者向けブラウザ部１３に出力される。そして、視覚障害者向けブラウザ部１３では、内容が変化した対象コンテンツを解釈し、この解釈した内容を、例えば、スピーカ（図示せず）、点字ディスプレイ（図示せず）等に出力することにより、視覚障害者が、変化した内容の対象コンテンツを把握することができる。即ち、放送データコンテンツの内容が変化したとき、情報受信者が視覚障害者である場合でも、放送データコンテンツの内容が更新されたことと更新された放送データコンテンツの内容を把握することができる。
【００３５】
なお、本実施形態のデータコンテンツ受信装置では、視覚障害者用に放送データコンテンツを提示する装置として説明したが、本発明はこれに限定されるものではない。例えば、聴覚障害者に放送データコンテンツを提示する場合、本実施形態のデータコンテンツ受信装置の視覚障害者向けブラウザ部１３を、例えば、放送データコンテンツを字幕スーパーで表示する聴覚障害者向けブラウザ部とすることにより、放送局１４からデジタル放送で放送されているデータ放送を聴覚障害者向けに変換提示することができる。
【００３６】
＜２．第２の実施形態のデータコンテンツ受信装置＞
次に、第２の実施形態のデータコンテンツ受信装置について、図６を参照して説明する。図６は、本発明の第２の実施形態のデータコンテンツ受信装置の構成を示すブロック図である。本実施形態のデータコンテンツ受信装置６は、放送受信部６０（Ｐｕｓｈ型イベント検知手段）、データ放送イベント変換部６１（データ放送変換手段）、変換ルール蓄積部６２（変換ルール蓄積手段）、イベント情報提供部６３（コンテンツ提示手段）、データ放送ブラウザ部６５（コンテンツ提示手段）から構成されており、放送局６４（情報提供者）からデジタル放送で放送されているデータ放送を健常者向けだけでなく、視覚障害者向けに変換提示する装置である。
【００３７】
（２．１  本実施形態のデータコンテンツ受信装置の各機器）
次に、本実施形態のデータコンテンツ受信装置６の各機器について、説明する。
放送受信部６０、変換ルール蓄積部６２は、第１の実施形態のデータコンテンツ受信装置と同様の機能を有する。また、放送イベントならびにセマンティクスの定義は第１の実施形態のデータコンテンツ受信装置と同様である。
【００３８】
データ放送イベント変換部６１は、放送受信部６０から出力された放送イベントを受信したとき、即ち、放送データコンテンツの内容が変化したことを示す情報と放送データコンテンツの内容の変化が如何なる変化であるかを示す情報とを受信したとき、変換ルール蓄積部６２から得られる変換ルールを参照する。なお、変換ルールとは、放送データコンテンツの内容の変化の種類と、イベント情報提供部６３に提示するセマンティクス付き放送イベントとの関係を示したデータテーブルのことであり、変換ルール蓄積部６２に予め蓄積されている。セマンティクス付き放送イベントとは、放送データコンテンツの内容の変化の種類についての情報と、この放送データコンテンツの内容の変化の種類に応じて放送データコンテンツが内容更新されたか、割り込み通知がされたか、自動遷移が行われたかに関する情報のことである。そして、参照した変換ルールに基づいて、セマンティクス付き放送イベントをイベント情報提供部６３に出力する。
【００３９】
イベント情報提供部６３は、データ放送イベント変換部６１から出力されたセマンティクス付き放送イベントの内、放送データコンテンツの内容の変化の種類についての情報に基づいて、放送データコンテンツが内容更新されたか、割り込み通知がされたか、自動遷移が行われたかを通知する。そして、これらの通知は、視覚障害者が把握できるようにするため、例えば、イベント情報提供部６３に、スピーカ（図示せず）、点字ディスプレイ（図示せず）等が接続されており、スピーカから音声が出力されるか、または、点字ディスプレイ（図示せず）に点字で表示される。
データ放送ブラウザ部６５は、既存の受信機と同様に放送受信部６０からの放送データコンテンツを解釈し、情報受信者に提供する。
【００４０】
以上の構成により、本実施形態のデータコンテンツ受信装置６は、放送受信部６０で放送局６４からのデータ放送を受信することにより取得した放送データコンテンツの内容が変化することで放送イベントが出力されたとき、この放送イベントを変換ルール蓄積部６２に蓄積された変換ルールに基づき、データ放送イベント変換部６１より、セマンティクス付き放送イベントに変換して出力する。即ち、放送データコンテンツの内容の変化の種類についての情報と、この放送データコンテンツの内容の変化の種類に応じて放送データコンテンツが内容更新されたか、割り込み通知がされたか、自動遷移を行われたかに関する情報をイベント情報提供部６３に出力する。そして、イベント情報提供部６３では、放送データコンテンツの内容の変化の種類についての情報に基づいて、放送データコンテンツが内容更新されたか、割り込み通知がされたか、自動遷移が行われたかを、視覚障害者が把握できるように、例えば、接続されたスピーカ（図示せず）、点字ディスプレイ等に出力する。一方、データ放送ブラウザ部６５は、既存の受信機と同様に放送受信部６０からの放送データコンテンツを解釈し、情報受信者に提供する。
【００４１】
（２．２  放送イベント）
次に、放送イベントについて、説明する。なお、放送イベントとは、前記の通り、情報受信者が情報提供者から受動的に与えられることによって得られた放送データコンテンツが変化したことを示す情報と、この放送データコンテンツの変化が如何なる変化であるかを示す情報である。放送局６４から通知される放送イベントの変化の種類は、第１の実施形態のデータコンテンツ受信装置と同様にして、５種類有り、放送イベントの各変化の内容も、第１の実施形態のデータコンテンツ受信装置と同じである。
【００４２】
（２．３  変換ルール）
次に、変換ルールについて、説明する。変換ルールは、本実施形態のデータコンテンツ受信装置６の変換ルール蓄積部６２に蓄積され、第１の実施形態のデータコンテンツ受信装置と同様にして、図４に示すデータテーブルを有する。このデータテーブルを用いることにより、データ放送イベント変換部６１は、放送イベントをセマンティクス付き放送イベントに変換している。即ち、放送データコンテンツの内容が変化したことを示す情報と放送データコンテンツの内容の変化が如何なる変化であるかを示す情報とから、放送データコンテンツが内容更新されたか、割り込み通知がされたか、自動遷移が行われたかの情報を得ている。
【００４３】
（２．４  まとめ）
以上の通り、本実施形態のデータコンテンツ受信装置６では、当該コンテンツをデータ放送ブラウザ部６５に提示中に、対象コンテンツに対して放送イベントが発生したとき、即ち、対象コンテンツの内容が変化したとき、この放送イベントの内容がセマンティクスを付加してイベント情報提供部６３に出力される。即ち、対象コンテンツの内容が変化したという情報と共に、データ放送ブラウザ部６５に出力されている放送データコンテンツが当該コンテンツから対象コンテンツに内容更新したか、当該コンテンツを提示中に対象コンテンツが割り込んで提示されたか（割り込み通知されたか）、当該コンテンツから対象コンテンツに切り換えられて提示されたか（自動遷移されたか）に関する情報がイベント情報提供部６３に出力される。そして、イベント情報提供部６３は、対象コンテンツの内容が変化したことを、例えば、スピーカ、点字ディスプレイ（図示せず）等に出力することにより、視覚障害者が、対象コンテンツに対して放送イベントが発生したことを把握することができる。即ち、放送データコンテンツの内容が変化したとき、情報受信者が視覚障害者である場合でも、放送データコンテンツの内容が更新されたことを把握することができる。
【００４４】
なお、本実施形態のデータコンテンツ受信装置６では、視覚障害者用に放送データコンテンツを提示する装置として説明したが、本発明はこれに限定されるものではない。例えば、聴覚障害者に放送データコンテンツを提示する場合、本実施形態のデータコンテンツ受信装置のイベント情報提供部６３を、例えば、放送データコンテンツの内容が変化したことを字幕スーパーで表示する聴覚障害者向けイベント情報提供部とすることにより、放送データコンテンツの内容が更新されたことを聴覚障害者に把握させることができる。
【００４５】
＜３．まとめ＞
以上の通り、第１、第２の実施形態のデータコンテンツ受信装置では、放送データコンテンツの内容が変化したとき、情報受信者が視覚障害者である場合でも、放送データコンテンツの内容が変化したことと変化した放送データコンテンツの内容を把握することができる。また、情報受信者が聴覚障害者である場合でも、前記の通り、放送データコンテンツの内容が変化したことと変化した放送データコンテンツの内容を把握することができる。
【００４６】
前記の第１、第２の実施形態のデータコンテンツ受信装置においては、無線の放送波でデジタル放送を受信するデータコンテンツ受信装置を一例に説明したが、本発明はこの場合に限定されるものではない。無線の放送波以外、インターネットを代表とする通信網を用いるＩＰ放送を受信するデータコンテンツ受信装置等、他の伝送路を介して伝送された放送を受信するデータコンテンツ受信装置でも、同様にして、情報受信者が視聴覚障害者であっても、放送データコンテンツの内容が変化したとき、放送データコンテンツの内容が変化したことと変化した放送データコンテンツの内容を把握することができる。即ち、本発明のデータコンテンツ受信装置では、如何なる伝送路を介して放送が伝送されるかに関係なく、放送データコンテンツの内容が変化したとき、放送データコンテンツの内容が変化したことと変化した放送データコンテンツの内容を視聴覚障害者である情報受信者に把握させることができる。
【図面の簡単な説明】
【００４７】
【図１】本発明の第１の実施形態のデータコンテンツ受信装置の構成を示すブロック図である。
【図２】変換ルールの例を示す図である。
【図３】変換ルールにより変換された後のデータ放送コンテンツ例を示す図である。
【図４】変換ルールのデータテーブルを示す図である。
【図５】本発明の第１の実施形態のデータコンテンツ受信装置の動作を示すフローチャートである。
【図６】本発明の第２の実施形態のデータコンテンツ受信装置の構成を示すブロック図である。
【符号の説明】
【００４８】
１      データコンテンツ受信装置
６      データコンテンツ受信装置
１０    放送受信部（Ｐｕｓｈ型イベント検知手段）
１１    データ放送変換部（データ放送変換手段）
１２    変換ルール蓄積部（変換ルール蓄積手段）
１３    視覚障害者向けブラウザ部（コンテンツ提示手段）
１４    放送局（情報提供者）
６０    放送受信部（Ｐｕｓｈ型イベント検知手段）
６１    データ放送イベント変換部（データ放送変換手段）
６２    変換ルール蓄積部（変換ルール蓄積手段）
６３    イベント情報提供部（コンテンツ提示手段）
６４    放送局（情報提供者）
６５    データ放送ブラウザ部（コンテンツ提示手段）
【図１】
0005070104.tif 000002
【図２】
0005070104.tif 000003
【図３】
0005070104.tif 000004
【図４】
0005070104.tif 000005
【図５】
0005070104.tif 000006
【図６】
0005070104.tif 000007